(57)【要約】【課題】夜間、個人敷地内に不審者が侵入した場合、それを自動感知し、人の音声を発し、侵入者に警告を発する。それと共に屋内の家人にも人の侵入を音声で知らせ、不審者の侵入トラブルを未然に防止する。【解決手段】人感センサーを用い、不審者が敷地に入った際に、ライトが点くと共に屋内でもブザー等音声が鳴り、同時に予め録音した人の音声又は屋内で気づいた家人がマイクを通して警告を与える。夜間、昼間共に同様作動し、必要により録画記録装置を自動作動させ記録する。家人が耳の不自由な場合でも信号発信、受信により振動または発光により利用できるよう構成した。【選択図】図１
2006216005.tif 000002
【特許請求の範囲】
【請求項１】
敷地内への人、動物の侵入を感知し、屋内家人が当該侵入を知り得る防犯システムにおいて、人感センサーと屋外スピーカーと自動音声発生装置及び又は屋内マイクから人の音声を屋外スピーカーへ発することを特徴とする防犯システム。
【請求項２】
屋外監視カメラと屋内モニター、映像音声記録装置を伴い、敷地内へ侵入した人、動物を屋内で観察し、映像、音声共に記録可能なことを特徴とする特許請求範囲第１項記載の防犯システム。
【請求項３】
侵入者、侵入動物の高さ方向の寸法を判断するための測長手段を設け、一定サイズ以下ではシステムが作動しないように制御されたことを特徴とする特許請求範囲第１項又は第２項記載の防犯システム。
【請求項４】
侵入者、侵入動物の体温を検知し、高さ方向の寸法が測長手段により一定以上の場合であっても、かつ一定体温以上の場合にのみシステムが作動するよう構成したことを特徴とする特許請求範囲第１項、第２項記載の防犯システム。
【請求項５】
屋内に信号発信装置を設け、屋内スピーカーが作動時に、信号発信し、当該信号を無線又は有線で遠隔受信し、振動又は発光により信号受信を知らせる装置を有し、耳の不自由な人に利用可能に構成したことを特徴とする特許請求範囲第１項、第２項、第３項、第４項記載の防犯システム。
【発明の詳細な説明】
【技術分野】
【０００１】本発明は夜間または昼間において人感センサーにより人を感知し、夜間は庭先照明灯が点灯し、日中は照明灯は点灯しないが、かつ警告音声を発し、必要に応じ、屋内モニターにその人影を映し出し、不審者侵入を知ることができる防犯システムに関する。
【背景技術】
【０００２】近年防犯に対し、社会の関心が高まっている。夜間はもちろん、白中にもいわゆるピッキング（鍵穴から棒状体を差し込み解錠すること）や、庭先物品の窃盗などが多発しているのが現状である。これらの事件は日中でも留守宅又は夜間、家人が就寝した後に発生しがちである。【０００３】これに対し、種々対策が採られており、その出願も見られる。例えば文献１に見られるように建物全体を監視カメラで監視し、画像情報を蓄積し、所定の監視所へ画像を通報する警告設備が示されている。
【特許文献１】  特開２００３−３０８５７４
【発明の開示】
【発明が解決しょうとする課題】
【０００４】しかしながら特許文献１の監視装置では事件発生が無い場合でも常時監視継続するため、画像蓄積のための情報データ容量がすぐ満杯となり、多くの記憶メディアを絶えず交換する必要がある。
本発明はこのような事情に鑑みてなされたものであり、不審者進入時を自動感知し、音声で警告し、必要な場合は必要時間のみ画像を撮影、蓄積する防犯システムを提供することを目的とする。
【課題を解決するための手段】
【０００５】本願請求項１に記載の発明は、前記目的を達成するために、人感センサーと屋外スピーカーと自動音声発生装置及び又は屋内マイクで人の音声を屋外スピーカーへ発信するように構成したため、敷地内に人や動物が侵入した場合、これを人感センサーが感知し、屋内にいる家人がこれら侵入を知り得ることができるため、自動音声又は実際に人の声で音声を発し、その侵入に警告をすることができる。
本願請求項２に記載の発明は、さらに屋外監視カメラと屋内モニター、映像記録装置を備えているため、敷地内へ侵入した人、動物を屋内で観察し、映像音声共に記録し、これら侵入者の時間経過後に内容を確認することができ、証拠として保管することができる。
本願請求項３に記載の発明は、侵入者、侵入動物の高さ方向の寸法を判断するための測長手段を設け、一定サイズ以下では本システムが作動しないよう制御したので犬や猫のようないわゆる小動物が侵入しても侵入者として本システムが作動しないため、深夜に警告音声を発することがなく、家人が侵入者ありと判断して深夜に飛び起きるというトラブルを避けることができる。
本願請求項４に記載の発明は、樹木の枝等が風で揺れセンサーが誤作動し不審者ありと感知することを避けるため、侵入者、侵入動物の体温を感知し一定温度の場合のみ本システムが作動するように構成したため、前記トラブルを防止できる。
本願請求項５に記載の発明によれば、家人が耳の不自由な人の場合でも、屋内スピーカーに内臓又は併設された発信信号を受けた当該家人が、受信時、振動による着信装置を身に付けておくことにより屋外異常を知ることができる。
【発明の効果】
【０００６】    本発明の防犯システムによれば、夜間、敷地内に人が侵入した場合、人感センサーによりその者に警告を発することができ、必要によっては屋内家人がマイクから屋外スピーカーを通して直接警告を発すことができ、同時に音声、映像を記録することができるので証拠の確保をすることができる。日中でも同様、映像等を人感センサーが作動している間記録することができるので記録媒体（メディア）は最少で済ますことができる。また犬、猫の小動物には反応せず、一定体温を持たない樹木の枝等には反応しないため、誤作動を防止できるという効果を有す。
【発明を実施するための最良の形態】
【０００７】以下、添付図面に従って、本発明にかかる好ましい実施の形態について詳説する。図１は本発明のシステムの概要を示す。１は人感センサーであり、２はライトである。【０００８】この一体物を住宅の庭の一部に取り付ける。夜間、人がこの敷地に入り込み、一定距離に近づいた時、センサー１が反応し、ライト２が点灯する。夜間、人が寝静まった時は、屋内の家人はライトが点灯したことに気付かないのが普通であるから、ライト点灯と同時に屋内のスピーカー３によりライトが点灯したことをブザー音等により家人に知らせる。不審に思った家人がコントローラー４経由でマイク５に向かい、「どちら様ですか」または「泥棒！」と叫ぶことで不審者は逃げ出すのが一般的である。【０００９】ここでセンサー１の反応により、ライト２点灯と同時に予め録音された人の声で屋外スピーカー６から自動的に「どちら様ですか」等の音声を発することでも大きな効果があるものと考えられる。発する音声内容は適宜予め複数種の中から選択できるようにしておくことが望ましい。この場合、すなわち、録音音声を発する場合は家人は起き出す必要がないが、それでも不審に思った時は起きて声を発する等の行動を起こせばより効果的である。録音音声は、マイク５に接続された音声再生テープデッキを用いる。【００１０】なお、ここではライト２点灯と同時に屋外スピーカー６から人の音声を自動発声することを説明したが、同時に監視カメラ７が庭先一体を広角に旋回又は固定位地を撮影し、その映像を屋内モニター８に映し出してもよい。人感センサー１がＯＮしたと同時にコントローラー４のスイッチがＯＮ、モニター８がＯＮし、ビデオデッキ又はＤＶＤ等録画再生装置９がＯＮし、自動録画を開始する。これらは人感センサー１ＯＮと同時に連動させておいてもよく、必要に応じ、いずれか必要機器のみ作動させることも可能である。これらの組合わせは各機器のスイッチのＯＮ−ＯＦＦで容易に可能である。【００１１】敷地外を人が通っただけでライト２がＯＮしては不都合であるため、これを避けるべく、予めセンサー１の感度を調節しておく必要がある。また夜間等一定照度の時のみセンサー１を作動させることができるよう設定可能であることは言うまでもなく、明るさに無関係に昼間でも人体赤外線を感知し、ライト２を点灯させず、前述の通り、屋外スピーカー６から「どちら様ですか」「泥棒！」または「いらっしゃいませ」等の音声を発し、監視カメラ７が撮影を開始し、録画装置９に自動的に屋外の物音及び映像を録音録画することができるようにしておくことも可能である。たとえば昼間家人が外出する際に誰かが庭先に入り込もうとしたこと、又は玄関に誰が訪ねて来たかを帰宅後に知りたい場合は録画装置９を再生することにより、日中でも人感センサー作動可能なように設定すれば、これらの作動が可能である。【００１２】これらはいずれも各機器のスイッチのＯＮ−ＯＦＦにより可能である。
夜間庭が暗い時に人が近づいただけで、人感センサー１は作動するがライト２は点灯させず、家の中で屋内スピーカー３の音声により不審者が侵入したことを知り、モニター（テレビ）画面を見ることができるように設定することも可能である。この場合は赤外線暗視カメラを用いることで可能である。【００１３】庭先別方向からの監視も必要となる場合があるため、複数台のセンサー１、ライト２、監視カメラ７他一式を別位置に設置すれば良い。この場合、モニター８′や録画装置９′はその数だけ複数台を設置しておくことも可能であり、一台のモニターをチャンネル切り換えにより別々の角度を撮影、録画してもよい。通常は複数個所から同時に不審者が侵入することは稀であろうから、複数設置した人感センサー１がＯＮした機器のみ作動させるのが妥当である。万一、同時複数侵入の場合があり、モニター８録画機器一台の場合でも、一つの画面を一定時間映し出し、その後は別の画面を映し出すという装置や、一つの画面を同時に複数分割し同時に複数画面を映し出す装置も製品として存在するため、これらを利用すれば実現できる。【００１４】なお、家人が耳の不自由な人の場合、又は目の不自由な人の場合にも本システムを利用できる実施例について説明する。耳の不自由な人の場合は、屋内スピーカー３による音声は聞こえないため、当該耳の不自由な人が就寝時、屋内スピーカー３に内臓又は併設された図示しない信号発信装置からの信号を受け、携帯電話の無音振動着信の如く、小型受信機を身に付けておくことで屋外異常を知ることができる。この信号は無線による着信でも有線による場合いずれでも良い。
また当該小型受信機が発光することにより視覚的に信号受信を知らせる機能を付加することも効果的である。
また目の不自由な人の場合は耳は聞こえるのが一般的であるため、屋内スピーカー３の音声により感知でき、他の人を呼ぶ等により対処することができる。
なお、信号発信装置は屋内スピーカー３に内臓又は併設するものとして説明したが、独立した装置から信号発信できる装置としても良いことは言うまでもない。【００１５】ここで注意しなければならない問題がある。たとえば夜間、犬や猫が敷地内に侵入した場合でもこれら動物を感知し、ライト２が点灯し前記したようにあたかも不審者が侵入したかのようにシステムが作動することがある。最近の高感度センサーでは現実にこの問題が生じ、深夜就寝中の家人が驚いて飛び起きるトラブルが生じている。そこで本発明ではこれを防止するために、犬や猫の大きさを検知し、その大きさから人でないと判断した時は本システムが作動しないように設定することを付加した。【００１６】概要は次の通りである。すなわち測長センサーを敷地入口、塀の上部等に設置しておく。測長センサーにより、犬猫等対象物がたとえば６０ｃｍ以下と判断した場合、本システムは作動させず、これより大きい場合はすなわち人間と判断して本システムを作動させる。【００１７】図２に基づき具体的に説明する。門扉１０の隙間から敷地内へ侵入した例えば猫は測長センサー１１ａ、１１ｂにより、高さ方向の寸法が計測される。これがたとえば４５ｃｍであれば人間でないと判断し、本システムは作動させない。ブロック塀１２の上部にも同様測長センサー１３を設置しておき、同様判断する。ここで測長センサー１１，１３は縦方向に点状に埋め込まれた赤外線ビーム投射部１１ａ、１３ａとその各々に対応する受光部１１ｂ、１３ｂからなり物体に阻止された赤外線の数から物の大きさを計測するという装置である。この光は赤外線に限らず犬、猫、人にも見えない不可視光を用いる方が有効的である。【００１８】また他の問題として、風の強い日こ樹木や庭木の枝が揺れ、大きさ大と判断し、かつ人感センサー１が誤作動し、あたかも不審者侵入と判断して本システムが作動する場合が出願人の経験からあった。
それを阻止するため、測長センサーで対象物のサイズ大と判断し、かつ体温一定以上の場合にのみ本システムが作動するように構成した。
温度センサー１４，１５を測長センサーの近傍に併置することにより、両センサーにより生物でないこと、また人でないことを判断することができ、より安全性、安心感を得ることができる。
測長センサーを前記の通り、不可視光投射受光方式で説明したが、別の方式で測長することもできる。その実施例を説明する。【００１９】たとえば図３に示す通り、カメラ１６で撮影中、門２０を通過する例えば犬１９を撮像し、その高さ方向を予め計測した寸法と比較し、犬１９の高さ方向の寸法を知るものである。この場合、犬１９が門２０の図左又は右に寄ることで高さ方向の寸法に誤差が生じるが、カメラ１６を図３に示す位置より右方向に設置する等の工夫により、犬猫サイズでは実用上誤差に問題がなく有効利用できる。
【図面の簡単な説明】
【００２０】
【図１】本発明の全体システムを示すフロー図
【図２】敷地入口に人か小動物かの大きさを判断するセンサーを設けた本発明の斜視図
【図３】人か小動物か判断する他の実施例を示す正面図
【符号の説明】
【００２１】  １…人感センサー、
２…ライト、
３…屋内スピーカー（無線又は有線信号発信装置付き）
４，１７…コントローラー、
５…マイク、
６…屋外スピーカー、
７…監視カメラ、
８…モニター、
９…録画再生装置、
１１，１３…測長センサー、
１４，１５…温度センサー、
１６…測長カメラ、
【図１】
2006216005.tif 000003
【図２】
2006216005.tif 000004
【図３】
2006216005.tif 000005